(57)【要約】【課題】連結部材の増強を図る。【解決手段】扉１２Ｂの表面側に回転錠３０が設けられるとともに、裏面側に、キャッチ６５と係脱するピン３８を備えたロック部材３７が支持板４５により回動可能に支持される。回転錠３０とロック部材３７とが合成樹脂製の連結部材５０を介して、軸線回りの一体回動可能に連結される。連結部材５０の一面には金属製の第１連結板５１がインサート成形により軸線方向に突設され、その先端側の取付孔５４にピン３８が貫通して固着されているとともに、他面には金属製の第２連結板５６が弾性的に嵌着され、その挿通孔５７に回転錠３０の軸部３３が挿通されて、それぞれ連結されている。回動体３９を含むロック部材３７は、連結部材５０ともども支持板４５に予め組み付け可能であり、アッセンブリ６３として搬入可能である。【選択図】  図６
2004346595.tif 000002
【特許請求の範囲】
【請求項１】
貯蔵庫本体の出入口には扉が開閉可能に設けられ、
前記扉の周縁部の表面側には回転錠が設けられるとともに、裏面側には、前記回転錠の軸部と直交する方向を向いた被係止部を有するロック部材が配されて、このロック部材が合成樹脂製の連結部材を介して前記回転錠の軸部と連結され、前記回転錠が閉位置に回動操作されると、前記ロック部材が一の回動姿勢を採って、前記出入口の周面に設けられた係止部に係止することで閉扉状態にロックされ、開位置に回動操作されると、前記ロック部材が他の回動姿勢を採って前記係止部との係止が解除されることで開扉可能とされたものにおいて、
前記連結部材における前記回転錠の軸部との連結部と、前記ロック部材との連結部とが、金属材により互いに分離した形態で形成されていることを特徴とする冷却貯蔵庫の施錠装置。
【請求項２】
貯蔵庫本体の出入口には扉が開閉可能に設けられ、
前記扉の周縁部の表面側には回転錠が設けられるとともに、裏面側には、前記回転錠の軸部と直交する方向を向いた被係止部を有するロック部材が配されて、このロック部材が合成樹脂製の連結部材を介して前記回転錠の軸部と連結され、前記回転錠が閉位置に回動操作されると、前記ロック部材が一の回動姿勢を採って、前記出入口の周面に設けられた係止部に係止することで閉扉状態にロックされ、開位置に回動操作されると、前記ロック部材が他の回動姿勢を採って前記係止部との係止が解除されることで開扉可能とされたものにおいて、
前記扉の裏面に取着される支持板の庫内側の面には、前記ロック部材が回動可能に支持されるとともに、反対側には前記連結部材が配され、この連結部材には金属材からなる連結部が設けられてこの連結部を介して前記ロック部材と一体回動可能に組み付けられていることを特徴とする冷却貯蔵庫の施錠装置。
【請求項３】
前記連結部が前記連結部材に対して着脱可能となっていることを特徴とする請求項１または請求項２記載の冷却貯蔵庫の施錠装置。
【発明の詳細な説明】
【０００１】
【発明の属する技術分野】
本発明は、冷却貯蔵庫における扉の施錠装置に関する。
【０００２】
【従来の技術】
例えば、プレハブ型冷蔵庫のような大型の冷蔵庫では、出入口に設けられた扉を閉鎖状態に保持する施錠装置を備えている場合がある。従来その一例として、特許文献１に記載されたものが知られている。
このものは、図１３に示すように、扉１の周縁部の表面側に回転錠２が設けられるとともに、裏面側には、回転軸３Ａの突出端にピン３Ｂを直交姿勢で設けたロック部材３が、支持板４により回動可能に支持されて配され、ロック部材３の回転軸３Ａと、回転錠２の軸部２Ａとが、合成樹脂製の連結部材５を介して直線状に連結されている。そして、回転錠２が閉位置に回動操作されると、ロック部材３のピン３Ｂが横向きの姿勢を採って、出入口７の周面に設けられた係止部７に係止することで閉扉状態にロックされ、開位置に回動操作されると、ピン３Ｂが縦向きの姿勢（鎖線）を採って係止部７との係止が解除されることで開扉できるようになっている。
ここで、回転錠２とロック部材３との間に合成樹脂製の連結部材５が介装されているのは、庫内外の伝熱を遮断するためで、冷却貯蔵庫の施錠装置に特有の事情によるものである。
【０００３】
【特許文献１】
特開２００１−３２４２５９公報
【０００４】
【発明が解決しようとする課題】
ところで、ロック部材３の回転軸３Ａと、回転錠２の軸部２Ａとを連結部材５に連結する部分の構造は、小判形等の異形断面の突部を同形の凹孔に嵌める構造が採られているが、例えば扉１が正規に閉じられておらず、両軸２Ａ，３Ａの軸線が一致していない状態で無理に回転錠２を回動操作すると、連結部材５が合成樹脂製であるが故に凹孔が削られてしまい、連結部材５としての機能が果たせず、すなわち施錠・開錠ができなくなるという問題があった。
【０００５】
また従来のものでは、扉１側に取り付けられる回転錠２、連結部材５、ロック部材３等はすべてばらばらに準備されていて、冷蔵庫の設置現場で組み付けようとすると、位置合わせ等が難しくて作業が繁雑となるため、勢い工場で組み付けることとなる。そうすると扉１は、ロック部材３が裏面から大きく突出した形態となり、例えば扉１を本体の他のパネルと重ねて梱包して搬送する場合には、ロック部材３を他のパネルと干渉することから逃がすべく大型の緩衝材を準備する必要がある等、余分なコストが掛かるという問題もあった。
本発明は上記のような事情に基づいて完成されたものである。
【０００６】
【課題を解決するための手段】
請求項１の発明の冷却貯蔵庫の施錠装置は、貯蔵庫本体の出入口には扉が開閉可能に設けられ、前記扉の周縁部の表面側には回転錠が設けられるとともに、裏面側には、前記回転錠の軸部と直交する方向を向いた被係止部を有するロック部材が配されて、このロック部材が合成樹脂製の連結部材を介して前記回転錠の軸部と連結され、前記回転錠が閉位置に回動操作されると、前記ロック部材が一の回動姿勢を採って、前記出入口の周面に設けられた係止部に係止することで閉扉状態にロックされ、開位置に回動操作されると、前記ロック部材が他の回動姿勢を採って前記係止部との係止が解除されることで開扉可能とされたものにおいて、前記連結部材における前記回転錠の軸部との連結部と、前記ロック部材との連結部とが、金属材により互いに分離した形態で形成されている構成としたところに特徴を有する。
【０００７】
請求項２の発明の冷却貯蔵庫の施錠装置は、貯蔵庫本体の出入口には扉が開閉可能に設けられ、前記扉の周縁部の表面側には回転錠が設けられるとともに、裏面側には、前記回転錠の軸部と直交する方向を向いた被係止部を有するロック部材が配されて、このロック部材が合成樹脂製の連結部材を介して前記回転錠の軸部と連結され、前記回転錠が閉位置に回動操作されると、前記ロック部材が一の回動姿勢を採って、前記出入口の周面に設けられた係止部に係止することで閉扉状態にロックされ、開位置に回動操作されると、前記ロック部材が他の回動姿勢を採って前記係止部との係止が解除されることで開扉可能とされたものにおいて、前記扉の裏面に取着される支持板の庫内側の面には、前記ロック部材が回動可能に支持されるとともに、反対側には前記連結部材が配され、この連結部材には金属材からなる連結部が設けられてこの連結部を介して前記ロック部材と一体回動可能に組み付けられている構成としたところに特徴を有する。
請求項３の発明は、請求項１または請求項２に記載のものにおいて、前記連結部が前記連結部材に対して着脱可能となっているところに特徴を有する。
【０００８】
【発明の作用及び効果】
＜請求項１の発明＞
連結部材における回転錠とロック部材との連結部は金属製としたから、増強されて変形等を招くおそれがなく、長期にわたって施錠・開錠動作を正確に行うことができる。もちろん、連結部材の他の部位は合成樹脂製であって両連結部は分離されているから、庫内外の伝熱を遮断することは担保される。
＜請求項２の発明＞
ロック部材と連結部材とが支持板に対して予め組み付け可能であって、アッセンブリ化できるから、位置合わせ等が最小限で済んで、設置現場でも簡単に組み付けることができる。したがって、それらを工場で扉に組み付けて搬送する場合に用いていた緩衝材が不要にでき、コスト低減を図ることができる。また、ロック部材と連結部材とは金属製の連結部を介して連結されているから、増強も図られる。
＜請求項３の発明＞
接続する相手の形状や大きさが変更となった場合に、連結部を取り替えるだけで対応することができる。また、リサイクル等のために合成樹脂材と金属材とにを分解する場合に便利となる。
【０００９】
【発明の実施の形態】
以下、本発明の実施形態を添付図面に基づいて説明する。
＜第１実施形態＞
本発明の第１実施形態を図１ないし図７によって説明する。この実施形態では、プレハブ冷蔵庫を例示している。
図１において、符号１０はプレハブ冷蔵庫の本体であって、複数枚の断熱パネルを組み付けることによって前面開口の箱形に形成されており、この前面開口が出入口１１となっている。
【００１０】
この出入口１１には、左右一対の断熱性の扉１２Ａ，１２Ｂがいわゆる観音開き式に装着されている。詳細には、左扉１２Ａが出入口１１の左側縁に、右扉１２Ｂが出入口１１の右側縁にそれぞれヒンジを介して揺動可能に支持されている。左扉１２Ａの開放端には、ピラー１４が内方に引っ込んだ状態で装着され、左右の扉１２Ａ，１２Ｂが閉じられると、右扉１２Ｂの開放端がピラー１４に当たって閉鎖するようになっている。
両扉１２Ａ，１２Ｂの表面の開放端側には取手部１６が設けられているとともに、裏面の周縁には、図３に示すようにマグネット１８を埋設したパッキン１７が装着され、閉扉された場合に、出入口１１の表側の口縁やピラー１４に密着されるようになっている。
【００１１】
続いて、扉１２Ａ，１２Ｂの施錠装置について説明する。
大まかには、右扉１２Ｂの上縁部における開放端に寄った位置には、回転錠３０とそれによって回動操作されるロック部材３７が装備される一方、冷蔵庫本体１０の出入口１１の対応位置には、ロック部材３７と係脱するキャッチ６５が取り付けられている。
右扉１２Ｂにおける回転錠３０等の取付位置には、図３に示すように、扉１２Ｂの表裏を貫通する貫通孔２０が形成されている。この貫通孔２０の裏面側の端部では、内箱２１の内側に補強板２２が張られ、それらに貫通孔２０と整合した孔２３が開けられているのに対して、貫通孔２０の表面側の端部では、同様に外箱２５の内側に補強板２６が張られているものの、それらには横長の長円形の取付孔２７が形成されている。
【００１２】
貫通孔２０の表面側には、回転錠３０が取り付けられている。この回転錠３０は、横長の長円形断面の本体部３１の外端側に、鍵の差し込み部となる頭部３２が設けられているとともに、他端側に回動操作される小さい長円形断面の軸部３３が設けられた構造であって、頭部３２の鍵孔に図示しない鍵を差し込んで、正面から見た時計回り方向に９０度回動操作することによって、軸部３３が縦向きの姿勢を取り、その状態から鍵を反時計回り方向に９０度回動させることで、軸部３３が元の横向きの姿勢に戻るようになっている。
回転錠３０の本体部３１の外周には、雄ネジ３４が切られている。回転錠３０は、本体部３１を取付孔２７に表面側から挿入し、裏面側から貫通孔２０内に入れたナット３５を本体部３１に螺合して締め付けることによって、回転錠３０が一定の姿勢で回り止め状態で固定されている。
【００１３】
貫通孔２０の裏面側には、ロック部材３７が配されている。このロック部材３７は、金属製のピン３８と、これを取り付けた合成樹脂製の回動体３９とから構成されている。回動体３９は扁平な角棒状に形成され、その先端側にはピン３８の取付孔４０が上下両面を貫通して形成されているとともに、基端側にはフランジ４１を介して回転軸部４２が形成されている。
ロック部材３７は、内箱２１に取り付けられる金属製の支持板４５によって回動可能に支持されるようになっており、この支持板４５には、回動体３９の回転軸部４２が嵌合される軸受孔４６と、その両側に、長孔状をなすネジ４８の挿通孔４７が開口されている。
【００１４】
またロック部材３７は、連結部材５０を介して上記した回転錠３０と一体回動可能に連結されるようになっている。
連結部材５０は合成樹脂製であって、全体としては上記した支持板４５の軸受孔４６よりも大径の円柱状に形成されている。なお外周面には適宜に肉抜きが施されている。この連結部材５０の一端面からは、ロック部材３７側と連結することに機能する金属製の第１連結板５１が突設されている。
【００１５】
この第１連結板５１は、図７に示すように、基端側に拡幅部５２を有する細長い形状をなし、インサート成形により、拡幅部５２を埋設し、先端側を軸線方向に突出させて設けられている。なお、拡幅部５２の幅は、軸受孔４６の直径よりも大きく取られているとともに、拡幅部５２には合成樹脂材を入り込ませる通孔５３が開口されている。
第１連結板５１の先端側には、ピン３８の取付孔５４が開口されている。一方、ロック部材３７の回動体３９には、その基端側の端面から、取付孔５４の形成位置を越えて先端面の少し手前の位置にわたり、連結部材５０から突出した第１連結板５１を緊密に挿通可能とした挿通溝４３が形成されている。第１連結板５１が挿通溝４３内に正規に挿通されると、ピン３８の取付孔４０，５４同士が整合するようになっている。
【００１６】
連結部材５０の他方の端面には、回転錠３０側と連結することに機能する金属製の第２連結板５６が装着されている。この第２連結板５６は方形状をなし、その中心には、回転錠３０の軸部３３を緊密に挿通可能な長円形断面の挿通孔５７が開口されている。
一方、連結部材５０の他方の端面には、図４に示すように、第２連結板５６を回り止めして嵌合可能な全体的に方形をなす装着凹部５９が形成されている。この装着凹部５９の対向する２辺に沿った部分は一段下がった面とされ、各面から、第２連結板５６の対向する２側縁に弾性的に係止して押さえる係止爪片６０が形成されている。また、装着凹部５９の中心には、第２連結板５６の挿通孔５７と整合する長円形断面の中心孔６１が穿設されている。
【００１７】
上記したロック部材３７、支持板４５及び連結部材５０は、予め組み付けられてアッセンブリ化されるようになっている。
組み付けの一例としては、連結部材５０の装着凹部５９に第２連結板５６を嵌めて取り付ける。一方、回動体３９の回転軸部４２を支持板４５の軸受孔４６に一側から嵌めたのち、連結部材５０の第１連結板５１を、反対側から回動体３９の挿通溝４３に差し込む。このとき、両取付孔４０，５４が整合されるから、両取付孔４０，５４にピン３８を挿通し、ピン３８に形成された係止溝３８ＡにそれぞれＥリング４４を嵌めにより、ピン３８は両端部が回動体３９からほぼ同寸法突出した状態で取り付けられる。
【００１８】
これにより、図５に示すように、ロック部材３７が支持板４５に回動可能に支持され、かつロック部材３７が連結部材５０と連結された状態に組み付けられたアッセンブリ６３が形成される。
なお後記するように、連結部材５０が回転錠３０と連結されると、ロック部材３７の回動体３９が回転錠３０の軸部３３と一体的に軸線回りに回動し、回転錠３０に鍵を差し込んで閉位置に回動操作すると、ピン３８が横向きに寝た姿勢を取り（図７）、元の開位置に戻すと、ピン３８が縦向きの姿勢を取る（図６）ようになっている。
【００１９】
一方、冷蔵庫本体１０の出入口１１側の対応する位置には、上記したようにキャッチ６５が取り付けられている。
キャッチ６５は、図２に示すように、全体としてアングル状に形成され、水平面が取付板６６となっているとともに、垂下面では、下端開放の逃がし溝６８を挟んだ両側に一対の係止板６７を備えた形状である。逃がし溝６８は、回動体３９の先端部分と縦向きのピン３８を挿通可能な幅と高さとを有している。
【００２０】
キャッチ６５の取付板６６には、左右一対のネジ７０の挿通孔６９が形成されている。一方、出入口１１の上側の周面の取付位置では、図６に示すように、内箱２１の内側に補強板７１が配され、内箱２１にはネジ７０の挿通孔７２が、また補強板７１にはネジ孔７３が切られている。
キャッチ６５は、図２に示すように、係止板６７を手前に向けた姿勢で出入口１１の取付面に当てられて、取付板６６と内箱２１の挿通孔６９，７２同士が整合され、両挿通孔６９，７２に摘み７０Ａ付きのネジ７０が挿通され、ネジ孔７３に螺合して締め付けることによりキャッチ６５が固定されるようになっている。
キャッチ６５が固定されると、右扉１２Ｂが閉じられた場合に、ロック部材３７の回動体３９の先端と縦向きのピン３８が逃がし溝６８を通ってその裏側に進入し（図６参照）、回動体３９の回動に伴ってピン３８が横に寝ると、その両突出部が左右の係止板６７に係止されるようになっている。
なお、摘み７０Ａ付きのネジ７０を緩めて外すと、キャッチ６５は出入口１１の取付面から取り外すことが可能となっている。
【００２１】
続いて、本実施形態の作用を説明する。
施錠装置は、本体１０ともども冷蔵庫の設置現場において組み付けられ、回転錠３０、ロック部材３７等のアッセンブリ６３、キャッチ６５等が部品として、断熱パネルや扉１２Ａ，１２Ｂとともに搬入される。
組み付けの手順としては、まず、扉１２Ｂの表面の取付孔２７に対して回転錠３０の本体部３１が挿入され、裏面側から貫通孔２０内に入れたナット３５を締め付けて固定される。次にアッセンブリ６３が準備され、ピン３８を縦向きとした姿勢で連結部材５０を貫通孔２０内に裏面側から挿入する。支持板４５が内箱２１に当たるまで挿入されると、図６に示すように、回転錠３０の軸部３３が、連結部材５０に装着された第２連結板５６の挿通孔５７から中心孔６１内に嵌入し、回転錠３０の軸部３３と連結部材５０とが軸線回りの一体回転可能に連結された状態となる。支持板４５は、挿通孔４７に通したネジ４８を、扉１２Ｂの裏面に形成されたネジ孔７５に螺合して締め付けることにより内箱２１に固定される。
またキャッチ６５は、既述した要領で、出入口１１の所定の取付面に取り付けられる。
【００２２】
冷蔵庫の使用時において、庫内での作業等が終了して閉扉する場合は、まず左扉１２Ａを閉じると、裏面のマグネット１８付きパッキン１７が出入口１１の左半分の口縁に磁気吸引力で密着して閉じられる。続いて右扉１２Ｂが閉じられ、このときは図２に示すように、ロック部材３７のピン３８が縦向きの姿勢にあるから、回動体３９の先端からピン３８が、図６に示すように、キャッチ６５の逃がし溝６８を通って係止板６７の裏側に進入し、それとともに、裏面のマグネット１８付きパッキン１７が出入口１１の右半分の口縁とピラー１４とに磁気吸引力で密着して閉じられる。これだけでも、上記した磁気吸引力で両扉１２Ａ，１２Ｂは閉鎖状態に保持される。
【００２３】
さらに施錠する場合は、図６の状態から回転錠３０に鍵を差し込んで、閉位置に向けて正面から見た時計回り方向に９０度回動させると、連結部材５０を介して回動体３９が同方向に同角度回動し、図７の実線に示すように、ピン３８が横向きの姿勢となって、両突出部が左右の係止板６７に係止される。これにより、右扉１２Ｂが閉鎖状態にロックされ、また左扉１２Ａは、一体に設けられたピラー１４が右扉１２Ｂで押さえ付けられることによって同じく閉鎖状態にロックされる。
解錠する場合は、再度鍵を差し込んで元の開位置に向けて反対方向に９０度回動させると、回動体３９が同方向に同角度回動して、ピン３８が図６のように縦向きに起こされる。したがって右扉１２Ｂを手前に引くと、ピン３８が逃がし溝６８を通って手前に抜けつつ開扉され、それに伴いピラー１４に対する押さえも無くなるから、引き続いて左扉１２Ａも開けることができる。
【００２４】
なお、庫内に入って作業等をしている間に、他人が誤って閉扉して施錠してしまう、すなわち庫内に閉じ込められてしまう場合があり得る。その場合は、キャッチ６５を取り付けている摘み７０Ａ付きのネジ７０を緩めて外し、逃がし溝６８に回動体３９を通しつつキャッチ６５を庫内側に向けて外す。そうすると、施錠されているにも拘わらず、ピン３８に対する係止が解除されるから、引き続いて右扉１２Ｂを庫外に向けて押すことで開扉することができる。
【００２５】
以上説明したように本実施形態の施錠装置では、連結部材５０に金属製の連結板５４，５６を設けて、これらをロック部材３７（ピン３８）と、回転錠３０とに連結するようにしたから、連結部分が増強されて変形等を招くおそれがなく、長期にわたって施錠・開錠動作を正確に行うことが可能となる。もちろん、連結部材５０の他の部位は合成樹脂製であって両連結板５４，５６は分離して配されているから、庫内外の伝熱を遮断する機能は果たすことができる。
ロック部材３７は連結部材５０ともども支持板４５に予め組み付け可能であってアッセンブリ化できるから、位置合わせ等が最小限で済んで、設置現場でも簡単に組み付けることができる。したがって、それらを工場で扉１２Ｂに組み付けて搬送する場合に用いていた緩衝材が不要にでき、コスト低減を図ることができる。
【００２６】
回転錠３０を連結することに用いる第２連結板５６は、別部品として着脱できるようにしたから、例えば、回転錠３０の軸部３３の大きさや形状が変更となった場合、特に小さいものに変更となった場合には、変更後の軸部３３に対応した形状の挿通孔５７を備えた第２連結板５６と取り替えるだけで、簡単に対応できる。なお、大きく変更となった場合は、装着凹部５９の中心孔６１の形状も変える必要がある。
ロック部材３７を支持板４５に回動可能に支持する部分において、合成樹脂製の回動体３９の回転軸部４２を支持板４５の軸受孔４６に嵌合した構造としたから、摩擦抵抗が低減されてスムーズな回動を期することができる。
また、第１連結板５１を連結部材５０に対してインサート成形により設けるに当たり、基端に拡幅部５２を設けてこれを埋設したから、例えばピン３８側から第１連結板５１に対して引張力が作用した場合にも、拡幅部５２が引っ掛かりとなって、容易に抜け落ちることが防止される。
【００２７】
＜第２実施形態＞
図８及び図９は本発明の第２実施形態を示す。この第２実施形態では、連結部材５０Ａの構造に変更が加えられており、ロック部材３７との連結に用いる第１連結板５１Ａと、回転錠３０との連結に用いる第２連結板５６とが、ともに別部品として備えられて連結部材５０Ａに対して着脱可能となっている。
なお、第１連結板５１Ａは、通孔５３が形成されていない点を除いて第１実施形態の第１連結板５１と同じ形状であり、第２連結板５６は第１実施形態のものと同一形状である。その他、第１実施形態と同一機能を有する部位については、適宜に同一符号を付して説明する。
【００２８】
連結部材５０Ａの一端面には、方形の第２連結板５６の対向する２側縁が緊密に嵌まる溝状をなす装着凹部８０が形成され、この装着凹部８０の開放側の両端部からは、第２連結板５６の別の組の対向する２側縁に弾性的に係止して押さえる係止爪片６０が形成されている。装着凹部８０の中心には、回転錠３０の軸部３３の先端側を嵌めて逃がす円形の中心孔８１が穿設されている。
また、装着凹部８０には、第１連結板５１Ａを挿入する挿入溝８２が、反対側の端面に貫通して形成されている。この挿入溝８２は詳細には、第１連結板５１Ａの拡幅部５２と同じ幅寸法を有し、両係止爪片６０の間において中心孔８１とラップして形成されており、反対側の端面に達する手前で、第１連結板５１Ａの先端側と同じ幅寸法に狭められて同端面に開口されている。
挿入溝８２の一面（例えば下面）には、図９に示すように、段付部８３の手前の位置において、左右一対のがた詰め突条８４が形成されている。このがた詰め突条８４は、手前側から上り勾配となっている。
【００２９】
組み付けに当たっては、まず第１連結板５１Ａが先端側から挿入溝８２に挿入され、終盤ではがた詰め突条８４を潰しつつ押し込まれて、拡幅部５２が段付部８３に当たったところで押し込みが停止され、先端部が反対側の端面から所定長さ突出した状態で、がたつき無く固定される。次に、装着凹部８０に第２連結板５６が嵌められ、係止爪片６０で対向する２側縁が押さえられることで、第２連結板５６が回り止めされて取り付けられる。
これにより連結部材５０Ａは、その一端面からロック部材３７側と連結することに機能する金属製の第１連結板５１Ａが突設され、他端面に回転錠３０側と連結することに機能する金属製の第２連結板５６が装着された形態となり、第１実施形態の連結部材５０と同様に使用でき、同様の効果を得ることができる。
【００３０】
一方、この第２実施形態の連結部材５０Ａでは、係止爪片６０を広げつつ治具によりこじる等で第２連結板５６が装着凹部８０から取り外され、そののち突出端側から強く打ち据える等により、第１連結板５１Ａを挿入溝８２から抜き取ることができる。
すなわち、必要に応じて両連結板５１，５６を比較的簡単に連結部材５０Ａから取り外すことができるから、リサイクル等に当たり、合成樹脂材と金属材とを分けて回収する場合に便利となる。
【００３１】
また、第１実施形態の連結部材５０と比較すると、インサート成形を行わないことで金型費を押さえることができる。また、圧入により取り付けられる第１連結板５１Ａについて、挿入溝８２にがた詰め突条８４を設けるといった簡単な構造でもって、強固に取り付けることができ、しかもがた詰め突条８４は、挿入領域の終盤部分にのみ配されているから、挿入時の抵抗も最小限に押さえられて挿入作業も能率良く行うことができる。
【００３２】
＜第３実施形態＞
続いて、本発明の第３実施形態を図１０及び図１１によって説明する。
この第３実施形態では、キャッチ８５並びにその取付構造に変更が加えられており、特に誤って施錠されて庫内に閉じ込められた場合に、ロック部材３７との間の係止を解除すべくキャッチ８５を取り外す作業を、より簡単に行えることを意図している。
なお、扉１２Ｂ側に設けられる回転錠３０、ロック部材３７等は前記第１実施形態と同様であって、同一機能を有する部位については同一符号を付すことで重複した説明は省略する。
【００３３】
本実施形態のキャッチ８５は、金属製の丸棒を曲げ加工して形成されており、後記する取付時において斜め姿勢で配される方形の本体枠８６を備え、その下辺の幅方向の中央部から、門形をなす係止枠８７が垂直に立ち上がって形成された形状となっている。外周面には、ポリエチレン等の樹脂コーティングが施されている。
一方、取付具は２個準備されている。奥側の第１取付具８９は合成樹脂製であって、細長い取付板９０の下面の両端部に一対の取付溝部９１が形成され、この取付溝部９１は、下面開放の断面円弧状をなし、キャッチ８５の本体枠８６の上辺８６Ａの両端部を弾性的に嵌着可能となっている。取付溝部９１の両端縁はガイド用に外方に広げられている。
また、手前側の第２取付具９３は係止枠８７の取付用であって、ステンレス鋼板等の金属板製であり、断面がクランク状に形成され、上板９４が取付板となっている。下板９５の先端はガイド用に斜め下方に折曲されている。
【００３４】
キャッチ８５は、以下のようにして取り付けられている。出入口１１の上側の周面の取付位置には、両取付具８９，９３が奥側と手前側に分かれて、ネジ止めにより取り付けられている。キャッチ８５は、まず係止枠８７の上辺８７Ａが、第２取付具９３の下板９５と出入口１１の上面壁との間に挿入され、続いて本体枠８６の上辺８６Ａの両端部が、第１取付具８９の両取付溝部９１に下方から嵌合される。これによりキャッチ８５は、係止枠８７が垂直に立ち上がった姿勢を取り、特に庫外側に向けて移動不能に取り付けられる。
【００３５】
使用時には、右扉１２Ｂが閉じられた場合に、ロック部材３７の回動体３９の先端と縦向きのピン３８の主に上部側が、係止枠８７の左右の辺８７Ｂの間を通ってその裏側に進入する。
施錠する場合は、回転錠３０を閉位置に回動操作してピン３８を横向きの姿勢にすると、両突出部が係止枠８７の左右の辺８７Ｂに係止されて閉扉状態にロックされる。解錠する場合は、回転錠３０を元の開位置に回動すると、ピン３８が縦向きに起こされることで、ピン３８が係止枠８７の左右の辺８７Ｂの間を手前に抜けつつ開扉される。
【００３６】
一方、誤って施錠されて庫内に閉じ込められた場合は、キャッチ８５の本体枠８６の上辺８６Ａを第１取付具８９の取付溝部９１を弾性的に広げつつ下方に引き抜き、続いて、係止枠８７の上辺８７Ａを第２取付具９３から庫内側に抜くとともに、係止枠８７の上辺８７Ａを庫内側に倒すように傾けると、係止枠８７が回動体３９並びにピン３８の上方に抜けるため、そのまま庫内側に向けて引くことで外すことができる。そうすると、施錠されているにも拘わらず、ピン３８に対する係止が解除されるから、引き続いて右扉１２Ｂを庫外に向けて押すことで開扉することができる。
【００３７】
すなわち本実施形態では、キャッチ８５が取付具８９，９３によって取り付けられる部分の構造において、庫外側への移動は規制される一方、庫内側へは施錠姿勢にあるロック部材３７（ピン３８）との干渉を避けつつ脱着可能となっているから、通常時における施錠機能は確実に担保した上で、庫内に閉じ込められた非常時には、キャッチ８５を外してロック部材３７との間の係止を解除することにより、容易に脱出することができる。
第１実施形態のようにネジ７０を緩めてキャッチ６５を外すものでは、ネジ７０が強く締め付けられていたり、あるいは錆付いていたりすると、ネジ７０を外すこと、ひいてはキャッチ６５を外すのに手間が掛かることが懸念されるが、この実施形態では基本的には、キャッチ８５を所定以上の力で下向きに引くだけで外せるから、簡単に短時間で非常脱出することができる。
【００３８】
キャッチ８５自体は金属製の丸棒を曲げ加工して形成されているから、軽量にできる。また、キャッチ８５を外す場合に直接に手で持って引くのであるから、不用意に落下させるおそれがない。
キャッチ８５には樹脂コーティングが施されているから、錆付きで外れなくなることが防止される。さらに、キャッチ８５が丸棒で形成されているから、その丸みがロック部材３７のピン３８が回動する際のガイドとなって、施錠・開錠の作業をよりスムーズに行うことが可能となる。
なお、図１２に示すキャッチ８５Ａのように、本体枠８６の上辺８６Ａに取手９７を垂下状に設けると、キャッチ８５を下方に引っ張って第１取付具８９から外す作業を、より簡単に行うことができる。
【００３９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第１実施形態において、回転錠側と連結される第２連結板についても、インサート成形により連結部材に一体に設けるようにしてもよい。
（２）本発明は、片開き等の他の扉開閉方式を備えた冷却貯蔵庫全般に広く適用することができる。
【図面の簡単な説明】
【図１】本発明の第１実施形態に係るプレハブ冷蔵庫の外観斜視図
【図２】その部分斜視図
【図３】施錠装置の分解斜視図
【図４】連結部材の部分斜視図
【図５】アッセンブリの斜視図
【図６】閉扉した後施錠前の側断面図
【図７】施錠後の側断面図
【図８】第２実施形態に係る連結部材の分解斜視図
【図９】その一部切欠斜視図
【図１０】第３実施形態に係る施錠後の側断面図
【図１１】キャッチ並びにその取付具の斜視図
【図１２】変形例に係るキャッチの斜視図
【図１３】従来例の施錠時の側断面図
【符号の説明】
１０…冷蔵庫本体  １１…出入口  １２Ａ，１２Ｂ…扉  ３０…回転錠  ３３…軸部  ３７…ロック部材  ３８…ピン（被係止部）  ３９…回動体  ４０…取付孔  ４５…支持板  ５０，５０Ａ…連結部材  ５１，５１Ａ…第１連結板（連結部）  ５４…取付孔  ５６…第２連結板（連結部）  ５７…挿通孔  ６３…アッセンブリ  ６５…キャッチ  ６７…係止板（係止部）
【図１】
2004346595.tif 000003
【図２】
2004346595.tif 000004
【図３】
2004346595.tif 000005
【図４】
2004346595.tif 000006
【図５】
2004346595.tif 000007
【図６】
2004346595.tif 000008
【図７】
2004346595.tif 000009
【図８】
2004346595.tif 000010
【図９】
2004346595.tif 000011
【図１０】
2004346595.tif 000012
【図１１】
2004346595.tif 000013
【図１２】
2004346595.tif 000014
【図１３】
2004346595.tif 000015